【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
キャビネットであって、
底板と、前記底板の側方端に固定され、垂直に配置された側板と、前記底板に固定され、前記側板に平行に、かつ、前記側板と側板との中間に位置付けられている１つ以上の仕切板と、前記底板と前記側板および前記仕切板との後端に固定されている垂直に配置された背板と、前記側板、前記仕切板および前記背板の上、または、前記側板、前記仕切板および前記背板に固定されている天板とを備え、前記側板、前記仕切板、前記背板および前記天板の所定の位置での連続的な固定が既に固定された板を所定の位置で位置決めし、確実にロックするために作用する、ファイル、書籍または書類などの保管用キャビネットであって、前記側板および前記仕切板の全ての端の周りに設けられた補強用肋材が、物品が前記キャビネットへ収容されること、または、前記キャビネットから引き出されることへの妨害を防止するために、前記板の開放端で前記板に融合され、複数の位置決めおよび解除可能固定手段が前記側板、前記仕切板および前記背板の下端、後端および上端のうちのいずれかに設けられ、前記固定手段が前記底板、前記背板および前記天板のうちのいずれかに設けられている相補的な手段と協働し、前記天板の上面が小さい物品のための入れ物を提供すること、および、複数の前記キャビネットが積層配置構成にあるときに位置決め機能を提供するために前記底板の下側の相補的な形状と協働することの二重の機能を有する相補的な形状で作製され、前記キャビネットは、多重積層の能力があり、構成部品の取り除きなしで激しい取り扱いに耐えることが可能であり、適切な固定方法が利用される場合には、容易に分解しうる、堅固かつ安全な構造に容易に組み立てられる、キャビネット。
【請求項２】
前記側板および前記仕切板の外側の支持されていない端が外側端リブによって補強されている、請求項１に記載のキャビネット。
【請求項３】
前記側板および前記仕切板の外側下端を越えて外向きに突出する前記底板の前方部分が薄い外側端まで下向きに傾斜するエプロンに形成され、前記エプロンは、前記オープンファイルキャビネットまで差し出されているファイルなどの動きへの妨害を最小限に抑えている、請求項１に記載のキャビネット。
【請求項４】
板が製造元の銘版またはその他の装飾のシステムを収容するために前記エプロンに設けられ、前記板は、場合によっては、デカール、貼り付けラベルなどを収容するために僅かに窪みを付けられている、請求項３に記載のキャビネット。
【請求項５】
前記底板は、その後端に、頑丈な隆起レールが設けられ、前記レールは、前記キャビネットの内部に勢いよく入れられるファイルなどの下端の衝撃に耐えるために十分に丈夫にされている、請求項１に記載のキャビネット。
【請求項６】
前記底板、前記背板および前記天板の内面には、隆起取り付けレールが設けられ、前記隆起取り付けレールは、前記側板および前記仕切板の端リブに当接する隆起面と、前記固定手段の延長部分を収容する反対側の空間と、物品が前記キャビネットに詰められるときに物品の下側端を案内する隆起端とを提供する、請求項１に記載のキャビネット。
【請求項７】
前記キャビネットが積層配置構成で使用されない場合、小さい文房具物品を収容するトレイが前記天板の上面に形成されている、請求項１に記載のキャビネット。
【請求項８】
外殻を板の外面に接合することにより前記板に平坦な外面が板に設けられ、前記外殻は、好ましくは、前記板の周辺に設けられた、隆起端によって位置決めされている、請求項１に記載のキャビネット。
【請求項９】
前記底板には、この底板の側方端に沿った平行な隆起取り付けレールと、側方端の中間に位置付けられた平行な隆起取り付けレールと、底板の後端に沿った隆起取り付けレールとが設けられ、前記取り付けレールは、各々が前記側板、前記仕切板および前記背板の下端リブによってそれぞれ当接される面を有し、前記取り付けレールの前記当接する面に形成されたキーホール型取り付け開口部は、前記側板、前記仕切板および前記背板の前記下端リブに形成された取り付けラグに相補的であり、前記取り付け開口部内での前記ラグの捕捉は、前記ラグが上に形成されている親構成部品を所定の位置に固定するために作用し、前記隆起取り付けレールは、前記取り付けラグの延長部分を収容する反対側の空間と、物品が前記キャビネットに詰められるときに物品の下側端を案内する隆起端とを提供する、請求項１に記載のキャビネット。
【請求項１０】
前記底板は、その下方外側端の周りを貫通する連続フランジによって支持面より僅かに上に隆起され、複数の浅い、横の、下向きに突出するウェブが支持面に接触する前記底板の下側に設けられ、それによって、前記底板に加えられた負荷に対抗して前記底板の大部分を支持するために作用し、前記底板の下側にある溝が取り付けレールの形成の結果として生成され、前記溝を横切るウェブが剛性を追加するために設けられ、一部または全部のキーホール型取り付け開口部の狭い部分に対して横向きに配置された小さい凹部が前記取り付けラグのヘッドまたはキャップの上面に設けられた小さい相補的な凸部を係合するために設けられ、前記相補的な形状は、前記取り付けラグが前記キーホール型取り付け開口部と適切に係合されたとき、確実な「クリック」係合を行い、複数の浅い、弓状に配置された、下向きに突出するウェブが前記底板の下側に設けられ、前記ウェブは、２台以上の前記キャビネットが積層配置構成にあるとき、下の方にある前記キャビネットの前記天板の外側端を係合するように位置付けられ、前記弓状に配置されたウェブは、積層配置構成で、上の方にある前記キャビネットの前記底板の片持ち外側部分を補強するために作用する前方に延在するバットレスで作製されている、請求項１に記載のキャビネット。
【請求項１１】
前記背板は、その下端リブに沿って形成された２つ以上の取り付けラグで作製され、前記取り付けラグは、底板の後端に沿った隆起取り付けレールに設けられたキーホール型取り付け開口部に相補的であり、前記背板は、前記取り付け開口部の大きい方の部分を通して前記取り付けラグのヘッドまたはキャップを差し込み、次に、前記取り付けラグの前記ヘッドが前記取り付け開口部の狭い部分の下側で捕捉されるように適切な方向で側方に前記背板を移動することによって、前記底板に固定され、前記小さい相補的な凸部および凹部は、前記取り付けラグが前記キーホール型取り付け開口部と適切に係合されているとき、確実な「クリック」係合を行う、請求項１または１０に記載のキャビネット。
【請求項１２】
前記側板および前記仕切板は、同一に作製され、適切な開口部が軽量化の目的のため前記側板および前記仕切板に設けられ、肋材が剛性を改善するために前記開口部の端の周りに設けられ、前記側板および前記仕切板の支持されていない外側端は、前記キャビネット内部に収容されたファイルなどの把持を実現し易くするために適切な切り取り領域で作製されている、請求項１に記載のキャビネット。
【請求項１３】
前記側板および前記仕切板は、これらの下端、後端および上端に沿って肋材を使って作製され、２つ以上の取り付けラグがこれらの下端リブに沿って形成され、前記取り付けラグは、前記底板の前記平行な隆起取り付けレールに沿って設けられたキーホール型取り付け開口部に相補的であり、前記側板および前記仕切板は、前記取り付け開口部の大きい方の部分を通して前記取り付けラグのヘッドまたはキャップを差し込み、次に、前記取り付けラグの前記ヘッドが前記取り付け開口部の狭い部分の下側で捕捉されるように、前記仕切板および前記側板を後方に移動することによって、前記底板に固定され、前記小さい相補的な凸部および凹部は、前記取り付けラグが前記キーホール型取り付け開口部と適切に係合されたときに確実な「クリック」係合を行う、請求項１または１０に記載のキャビネット。
【請求項１４】
前記背板は、その内面に形成された平行な垂直に配置された端溝および平行な垂直に配置された中間溝で作製され、前記溝は、前記底板の前記取り付けレールと一致して位置付けられ、前記仕切板および前記側板が前記底板に適切に固定されているとき、前記側板および前記仕切板の後端リブを受け入れるように適合され、前記溝の上方部分に設けられた適切な開口部が前記側板および前記仕切板の後端リブに形成された爪付きタブを収容し、前記爪付きタブは、前記側板および前記仕切板が前記底板に適切に固定されているとき、前記開口部を通って延在し、前記タブの爪部は、前記開口部を通過するとき、前記開口部の端面によって弾性的に歪められ、次に、前記開口部の端面を係合し、前記背板との前記爪部の係合は、前記側板および前記仕切板を前記背板に確実に締め付け、前記側板および前記仕切板は、前記開口部の外面端との係合から前記爪部を解除するために前記爪付きタブを側方に歪め、それによって、前記タブが前記開口部を通して引き出されることを許容することによって取り外すことが可能である、請求項１に記載のキャビネット。
【請求項１５】
１つ以上のスプリング付きタブが前記背板の上端に設けられ、前記タブは、自由に弾性的に移動されるように、スロットによって前記背板から分離され、前記スプリング付きタブの上方自由端部には、前記天板が前記側板および前記仕切板と前記背板とに適切に組み付けられたとき、前記天板上の相補的なストライカ部を係合するように適合されている爪部が設けられ、それによって、前記天板を所定の位置に締め付け、パッドが、前記タブを歪めるように指圧を前記タブに印加することを実現し易くするために、またそれによって、前記天板のストライカ部との前記爪部の係合を解除し、前記天板の係合解除および取り外しを可能にするために、前記スプリング付きタブに形成されている、請求項１に記載のキャビネット。
【請求項１６】
前記側板および前記仕切板は、その上端に沿った水平リブで作製され、前記リブは、前記側板および前記仕切板の大部分とほぼ同じ厚さを有する短いウェブ上で前記板の上端リブから支持され、前記ウェブは、複数の中間補強バーによって補強され、各々の前記リブの外側端部が突出する先端部の中に形成され、前記天板の下側の前記側方端に沿って形成された側方端溝と、前記天板の下側にある前記端溝と平行に形成された中間溝と、前記天板の下側の後端に沿って形成された後端溝とは、前記側板、前記仕切板および前記背板の位置付けとそれぞれ一致され、横線に配置され、前記側方端に位置決めされたアンカーラグと、これらの外側端部に向かう中間溝とは、前記アンカーラグと前記天板の下側との間に前記先端部を収容するように適合され、前記先端部の直ぐ下にある各々の前記ウェブの外側端は、各々の前記アンカーラグの内側端に形成された切り目に捕捉され、前記天板は、前記アンカーラグが前記先端部まで差し出され、かつ、前記先端部と係合され得るように前記天板を傾け、前記係合の視覚的な確認と共に、前記先端部との前記アンカーラグの係合を維持するために内向きに押し進める間に前記天板を水平位置まで下げることにより、前記側板および前記仕切板と前記背板とに組み付けられ、前記天板の前記水平位置付けは、前記側板および前記仕切板の前記リブを前記天板の下側に形成された前記側方溝および前記中間溝に差し込み、前記背板の上端に形成された前記リブを前記天板の後端の下側に形成された前記溝に差し込み、スプリング付きタブの上方端部は、前記天板の内側端に形成されたストライカ部の角度が付けられた端に接触する爪部によって同時に前方へ弾性的に歪められ、前記爪部は、前記ストライカ部の端の上に載り、この端を係合する、請求項１に記載のキャビネット。
【請求項１７】
１つ以上のバットレスが前記ストライカ部との係合位置にある前記スプリング付きタブの直ぐ前方で前記天板の下側に設けられ、前記バットレスは、指圧がこれらのパッドに印加されたとき、前記スプリング付きタブの内向き弾性歪を制限するために作用している、請求項１６に記載のキャビネット。
【請求項１８】
前記キャビネットの分解は、前記天板を前記側板、前記仕切板および前記背板に設置し、前記側板および前記仕切板を前記底板および前記背板に設置し、前記背板を前記底板に設置する手順の逆によって実施され、スプリング付きタブは、前記天板の後端を解除するように弾性的に歪められ、前記側板および前記仕切板の後端リブ上の爪付きタブは、前記側板および前記仕切板を解除するために前記背板内の開口部の外側端面からこれらを係合解除するように弾性的に歪められる、請求項１に記載のキャビネット。
【請求項１９】
２台以上の前記キャビネットが積層配置構成にあるとき、上にあるキャビネットの前記底板の周りを通る連続フランジまたはスカート部の後方部分の下方内側端に設けられた１つ以上の爪部は、内部に形成された窪み部を係合するために下にある前記天板の外側後方面の上を下に進むように弾性的に歪められ、前記天板の外側端との前記底板の下側に形成された強化された、弓状に配置されたウェブの当接と、前記窪み部との前記爪部の係合とは、下にある前記天板の上で上にある前記底板を確実に位置決めするために作用する、請求項１または１０に記載のキャビネット。